(57)【要約】【課題】燃焼効率が良く、長時間の安定した燃焼が可能で、かつ、コンパクトに収納でき、携帯性の良い固形燃料燃焼器を提供する【解決手段】外壁と内壁とその間の空間からなる断面略凹字型の二重壁構造に構成された樋状の本体と、上記本体の凹部内に折り畳み可能な寸法関係に構成され、その下部が上記本体の一端側に回動可能に支持されると共に、垂直に立てた際に上記本体に固定可能に構成された煙突と、上記本体の他端側に、着脱可能に立設された燃料投入部を構成する燃料投入筒と、上記本体上面の垂直に立てた上記煙突と立設された上記燃料投入筒との間をふさぐ、着脱可能な上蓋とを有すると共に、上記本体の煙突設置位置に対応する外周壁に少なくとも一つの吸気用開口を設ける他、内壁の燃料投入筒側の外端部から垂直に立てた際の煙突までの間に少なくとも一つの空気供給用開口を設け、更に上記煙突の上記燃料投入筒側に位置する下端側で、上記上蓋より下方の壁の少なくとも一部が切除されてなる携帯型固形燃料燃焼器とする。【選択図】図1
2015135204.tif 000002
【特許請求の範囲】
【請求項１】
外壁と内壁とその間の空間からなる断面略凹字型の二重壁構造に構成された樋状の本体と、
上記本体の凹部内に折り畳み可能な寸法関係に構成され、その下部が上記本体の一端側に回動可能に支持されると共に、垂直に立てた際に上記本体に固定可能に構成された煙突と、
上記本体の他端側に、着脱可能に立設された燃料投入部を構成する燃料投入筒と、
上記本体上面の垂直に立てた上記煙突と立設された上記燃料投入筒との間をふさぐ、着脱可能な上蓋とを有すると共に、上記本体の煙突設置位置に対応する外周壁に少なくとも一つの吸気用開口を設ける他、内壁の燃料投入筒側の外端部から垂直に立てた際の煙突までの間に少なくとも一つの空気供給用開口を設け、更に上記煙突の上記燃料投入筒側に位置する下端側で、上記上蓋より下方の壁の少なくとも一部が切除されてなることを特徴とする携帯型固形燃料燃焼器。
【請求項２】
上記燃料投入筒の少なくとも上記煙突側に位置する下端側で、上記上蓋より下方の壁の少なくとも一部が切除されてなることを特徴とする請求項１または２に記載の携帯型固形燃料燃焼器。
【請求項３】
上記燃料投入筒は、上記煙突を内挿して上記本体内に収納できる寸法、もしくは上記煙突内に収納できる寸法に構成されていることを特徴とする請求項１乃至２のいずれか一項に記載の携帯型固形燃料燃焼器。
【請求項４】
上記空気供給用開口を上記内壁側面の上記燃料投入筒側の端縁部および、上記燃料投入筒位置と垂直に立てた際の上記煙突位置との中間位置付近に、それぞれ一つ以上設たことを特徴とする請求項１乃至３のいずれか一項に記載の携帯型固形燃料燃焼器。
【請求項５】
上記内壁側面の上記燃料投入筒側に設けられた第１の空気供給用開口の開口面積の合計が、上記燃料投入筒位置と垂直に立てた際の上記煙突位置との中間位置付近に設けられた第２の空気供給用開口の開口面積より大きいことを特徴とする請求項１乃至４のいずれか一項に記載の携帯型固形燃料燃焼器。
【請求項６】
上記第２の空気供給用開口は、垂直乃至４５度の角度を有するスリット状の開口であることを特徴とする請求項１乃至５のいずれか一項に記載の携帯型固形燃料燃焼器。
【請求項７】
上記本体の下面に支持脚を設けたことを特徴とする請求項１乃至６のいずれか一項に記載の携帯型固形燃料燃焼器。
【発明の詳細な説明】
【技術分野】
【０００１】
本発明は、固形燃料、たとえば薪、木炭、練炭、豆炭などを燃焼させる携帯型固形燃料燃焼器に関するものである。
【背景技術】
【０００２】
固形燃料の需要は数十年前と比べて激減している。この理由として、最近の生活環境の中では従来の燃焼器では手間がかかるため敬遠されてきたことなどが考えられる。
しかし、近年はアウトドアブームや災害時の対策として、従来のようにガスや電気を使用しない固形燃料を用いた燃焼器が見直されている。
【０００３】
これらの燃焼器は燃焼効率が良いことはもちろんの事、持ち運ぶことが前提であるため、サイズ、重量など携帯性に優れることが要求される。
【先行技術文献】
【特許文献】
【０００４】
従来の固形燃料燃焼器として例えば、特許文献１（特開平９−２８５７７）と、特許文献２（特開２００９−１９８４６）が挙げられる。
【特許文献１】特開平９−２８５７７
【特許文献２】特開２００９−１９８４６
【発明の概要】
【発明が解決しようとする課題】
【０００５】
特許文献１の携帯用固形燃料燃焼器は、蓋と箱が同じ形状をしたトランクのような形状をしており、蓋と箱とを開いて内部に収容された道具を蓋と箱の上に組み立てて使用するものである。
【０００６】
特許文献２（特開２００９−１９８４６）の燃焼器具は、植物性由来の燃料を、長時間一定の火力を維持することができる燃焼器具を提供することを目的としている。
【０００７】
ところが、特許文献１に記載のものは、燃料が燃え出すと、燃料全体に火が回り、大きな火力に達するものであり、火力が強い分だけ持続力が短い。また、燃焼部分が周囲に解放された状態で行われるため、燃料による熱が周囲に分散し、火力の有効利用という面からは効率の悪いものであった。更に、頻繁に燃料を補給する必要がある他、燃焼時に多量の煙を発生し、使い勝手の悪いものであった。
【０００８】
また、特許文献２に記載のものは、植物性由来の燃料を、長時間一定の火力を維持することができ、効率的に燃焼を行える形状をしているものの、本体が分解可能としているのみで、解体後の部品の収納方法や解体後の形状などには言及されず、携帯性はほとんど考慮されていないものであった。
【０００９】
本発明は、こうした現況に鑑みてなされたもので、燃焼効率が良く、長時間の安定した燃焼が可能で、かつ、コンパクトに収納でき、携帯性の良い固形燃料燃焼器を提供することを目的としている。
【課題を解決するための手段】
【００１０】
上記課題を解決する本発明の請求項１に係る発明は、
外壁と内壁とその間の空間からなる断面略凹字型の二重壁構造に構成された樋状の本体と、
上記本体の凹部内に折り畳み可能な寸法関係に構成され、その下部が上記本体の一端側に回動可能に支持されると共に、垂直に立てた際に上記本体に固定可能に構成された煙突と、
上記本体の他端側に、着脱可能に立設された燃料投入部を構成する燃料投入筒と、
上記本体上面の垂直に立てた上記煙突と立設された上記燃料投入筒との間をふさぐ、着脱可能な上蓋とを有すると共に、上記本体の煙突設置位置に対応する外周壁に少なくとも一つの吸気用開口を設ける他、内壁の燃料投入筒側の外端部から垂直に立てた際の煙突までの間に少なくとも一つの空気供給用開口を設け、更に上記煙突の上記燃料投入筒側に位置する下端側で、上記上蓋より下方の壁の少なくとも一部が切除されてなる携帯型固形燃料燃焼器とした。
【００１１】
この構成によると、燃焼後の熱気が煙突により排気されることにより、吸気は主に燃料投入筒の上方の開口部から行われる。これにより、固形燃料が燃焼するときの炎は下方に流れ、本体内に流入する。固形燃料の燃焼は風上側へ徐々に進行し、燃え尽きた燃料は灰となり、新しい燃料が上から降下し燃焼を続ける。そのため、燃焼が一気に進むことがなく、一定の火力を長時間にわたり継続することができ、また、煙突からの排気により、外壁もしくは内壁の煙突から煙突側の端部までの間に設けた吸気用開口から外気を取り込み、内壁の燃料投入筒側端部から煙突までの間に設けた空気供給用開口からも本体内に空気が供給される為、外壁と内壁との間に空気が流れることで外壁に熱が伝わりにくくなるほか、外壁と内壁の間を通過中に暖められた空気を燃焼に使用できるため、長時間の安定した燃焼が可能で、かつ、各構成要素を分解組立可能に構成したことで、コンパクトに収納でき、携帯性の良い固形燃料燃焼器とすることができる。
【００１２】
請求項２に記載の携帯型固形燃料燃焼器は、請求項１の発明において、上記燃料投入筒の少なくとも上記煙突側に位置する下端側で、上記上蓋より下方の壁の少なくとも一部が切除されてなる構造とした。
【００１３】
この構成によると、本体内での燃焼をより円滑にすることができる。
【００１４】
請求項３に記載の携帯型固形燃料燃焼器は、請求項１乃至２の発明において、上記燃料投入筒が、上記煙突を内挿して上記本体内に収納できる寸法、もしくは上記煙突内に収納できる寸法に構成されている構造とした。
【００１５】
この構成によると、コンパクト性を喪失することなく燃料投入筒の寸法を選択することができる。
【００１６】
請求項４に記載の携帯型固形燃料燃焼器は、請求項１乃至３の発明において、上記空気供給用開口を上記内壁側面の上記燃料投入筒側の端縁部および、上記燃料投入筒位置と垂直に立てた際の上記煙突位置との中間位置付近に、それぞれ一つ以上設けた構造とした。
【００１７】
この構成によると、燃料投入筒に収納された固形燃料が燃焼する一次燃焼の下流で、固形燃料から発生した可燃性気体および煙が一次燃焼の熱によって燃焼する所謂二次燃焼が行われている場所に効率よく空気を供給できる為、本体内での燃焼をより効率的に行うことができる。
【００１８】
請求項５に記載の携帯型固形燃料燃焼器は、請求項１乃至４の発明において、上記内壁側面の上記燃料投入筒側に設けられた第１の空気供給用開口の開口面積の合計が、上記燃料投入筒位置と垂直に立てた際の上記煙突位置との中間位置付近に設けられた第２の空気供給用開口の開口面積より大きい構造とした。
【００１９】
この構成によると、燃焼により多くの空気が必要になる一次燃焼側に、より多くの空気を供給できる為、本体内での燃焼をより効率的に行うことができる。
【００２０】
請求項６に記載の携帯型固形燃料燃焼器は、請求項１乃至５の発明において、上記第２の空気供給用開口は、垂直乃至４５度の角度を有するスリット状の開口とした。
【００２１】
この構成によると、二次燃焼が起きる場所に全体的に空気を供給できる為、本体内での燃焼をより効率的に行うことができるほか、熱による燃焼器全体の変形を軽減することができる。
【００２２】
請求項７に記載の携帯型固形燃料燃焼器は、請求項１乃至６の発明において、上記本体の下面に支持脚を設けた構造とした。
【００２３】
この構成によると、図１に示すように煙突上端に調理器具を乗せた状態での所謂使用時の燃焼器自体の設置安定性が増し、使い勝手が向上する。
【発明の効果】
【００２４】
燃焼効率が良く、長時間の安定した燃焼が可能で、かつ、コンパクトに収納でき、携帯性の良い固形燃料燃焼器を提供することができる。
【図面の簡単な説明】
【００２５】
【図１】燃焼器の部分断面斜視図
【図２】燃焼器を燃料投入筒側から見たときの断面図
【図３】燃焼器を燃料投入筒側から見たときの、上蓋の取り付け部分の部分拡大断面図
【図４】吸気用開口の設置例を表した、燃焼器を煙突側から見たときの斜視図
【図５】吸気用開口の設置例を表した、燃焼器を煙突側から見たときの斜視図
【図６】煙突下部の切断状態を示した、燃焼器の部分断面斜視図
【図７】煙突と本体を回動可能に結合している回転中心の寸法関係を示した断面図
【図８】燃料投入筒下部の切断状態を示した、燃焼器の部分断面斜視図
【図９】空気供給用開口の設置状態を示した、燃焼器の部分断面斜視図
【図１０】空気供給用開口の設置状態を示した、燃焼器の部分断面斜視図
【図１１】空気供給用開口の設置状態を示した、燃焼器の部分断面斜視図
【図１２】断熱材の設置状態を示した、燃焼器を燃料投入筒側から見たときの断面図
【図１３】断熱材の設置状態を示した、燃焼器を燃料投入筒側から見たときの断面図
【図１４】燃料投入筒用蓋を取り付けた状態を示した、燃焼器の断面図
【図１５】燃焼器の組立て手順を表した斜視図
【図１６】燃焼器の組立て手順を表した斜視図
【図１７】燃焼器の組立て手順を表した斜視図
【図１８】燃焼器の組立て手順を表した斜視図
【図１９】燃焼器の着火手順を表した斜視図
【発明を実施するための形態】
【００２６】
本発明の実施形態について図を参照して説明する。
図1は携帯型固形燃料燃焼器の第1の実施形態を示す部分断面斜視図であり、図２は第１図の煙突側の端面から見た断面図である。
両図から理解されるように、本発明の携帯型固形燃料燃焼器は、外壁１と内壁２とその間の空間からなる断面略凹字型の二重壁構造に構成された樋状の本体３の、一端側に煙突４と、本体３の他端側に、その他端をふさぎ上下に開閉可能に構成された端壁５と燃料投入筒６があり、本体３の上面には、垂直に立てた煙突４と立設された燃料投入筒６との間をふさぐ上蓋７が設置されている。
煙突４は、煙突４および外壁１と内壁２の側面に設けられた穴を、ピン８によって結合されており、ピン８を中心に回動可能となっている。
また、本体３の煙突４設置位置に対応する外周壁に設置する吸気用開口９として、外壁１の煙突４側外端部に外向きに吸気用開口９を設置している。また、内壁２の燃料投入筒６端部から垂直に立てた際の煙突４までの間に空気供給用開口１０が設けられている。
【００２７】
このようにすると、燃焼時はまず燃料投入筒６に収納された後述する固形燃料２０が燃焼（一次燃焼）し、それより下流の本体３内で、一次燃焼の熱によって固形燃料２０から発生した可燃性気体および煙が燃焼される所謂二次燃焼がおこる。その後、燃焼後の熱気が煙突４により排気されることにより、主に燃料投入筒６の上方の開口部から吸気が行われる。これにより、固形燃料２０が燃焼するときの炎は下方に流れ、本体３内に流入する。固形燃料２０の燃焼は風上側へ徐々に進行し、燃え尽きた固形燃料２０は灰となり、新しい固形燃料２０が上から降下し燃焼を続ける。そのため、燃焼が一気に進むことがなく、一定の火力を長時間にわたり継続することができ、また、煙突４からの排気により、外壁１もしくは内壁２の煙突４から煙突４側の端部までの間に設けた吸気用開口９から外気を取り込み、内壁２の燃料投入筒６側端部から煙突４までの間に設けた空気供給用開口１０からも本体３内に空気が供給される為、外壁１と内壁２との間に空気が流れることで外壁１に熱が伝わりにくくなるほか、外壁１と内壁２の間を通過中に暖められた空気を燃焼に使用できるため、長時間の安定した燃焼が可能で、かつ、各構成要素を分解組立可能に構成したことで、コンパクトに収納でき、携帯性を実現できる。
【００２８】
なお、端壁５は燃料投入筒６側の本体端から空気が制御できずに流入することを防止できれば良く、例えば燃料投入筒６の煙突４の反対側に位置する下端が、内壁２に接触するまで伸びている場合には、端壁５は不要となる。また、端壁５に開閉可能な吸気口が設けられている場合などには端壁５が固定されていても良い。
【００２９】
また、内壁２底面の、少なくとも立設された燃料投入筒下方に、火格子を設置してもよい。
このようにすると、燃料に空気が供給されやすくなるほか、燃料と内壁２などの構造物との接触面積が少なくなり、構造物に燃焼の熱が奪われにくく、より効率的な燃焼を行える。
燃焼自体は火格子がなくても実現できる為、ここでは、火格子の有無及び形状は限定しない。
【００３０】
図3は第1の実施形態における上蓋７の取り付け部分を示した部分拡大断面図である。
上蓋７の取り付け方法としては、図３に示すように、外壁１の上辺を幅方向内側に水平となるように折り曲げ部１１を設けている。また内壁２の高さを少し低くし、内壁２の上辺を幅方向外側に水平となるように折り曲げ部１２を設けている。上記折り曲げ部１１と折り曲げ部１２の間に、上蓋７の厚みより大きな隙間１３を作り、その隙間１３に上蓋７を差し込んでいる。
また、上蓋７の寸法に関しては、使用時に燃料投入筒６および垂直状態となった煙突４に接触していることが望ましい。これは煙突４の燃料投入筒６側の倒れを防止するためで、端壁５に接触することで、燃料投入筒６の本体３の長手方向の移動を抑制し、燃料投入筒６と上蓋７を接触させることで、上蓋７の本体３の長手方向の移動を抑制し、上蓋７と煙突４が接触していることで、煙突４の回動を拘束できるようにするためである。
【００３１】
なお、図中では燃料投入筒６の本体３の長手方向の移動を抑制する方法として、端壁５と接触させる方法をとっているが、これに限定されるものではなく、例えばピンやボルト等を使用し、本体３と燃料投入筒６を締結させたり、内壁２の燃料投入筒６端に突起や折り返しを設けこれに干渉させることで、燃料投入筒６の動きを抑制しても良い。
【００３２】
更に、上記上蓋７の幅寸法は、隙間１３に差し込んで固定する場合、内壁２の間に落ちるのを防ぐため、外壁１の幅方向内寸より小さく、（「内壁２の縦壁の幅方向間隔」＋「外壁１の幅方向内寸」）/２より大きいことが望ましい。
【００３３】
図４および図５は吸気用開口９の設置例を表したものである。
図４では本体３の煙突４側外端部に内向きに吸気用開口９を設置しており、図５では本体３の煙突４側の端部に吸気用開口９を設置している。図４および図５はあくまで一例であり、吸気用開口９の位置は、本体３の煙突４設置位置に対応する外周壁であればこれに限るものではなく、また形状および開口の個数もこれに限るものではない。
【００３４】
図６は携帯型固形燃料燃焼器の煙突４の形状を示す部分断面斜視図である。煙突４の形状を、燃料投入筒６側に位置する下端側で、上蓋７より下方の壁の少なくとも一部が切除１４されるようにしている。
このようにすると、燃焼ガスが流れやすくなり、本体３内での燃焼をより円滑にすることができる。またその対面、つまり燃焼方向の下流側の下端は、煙突４を垂直に立てた際に内壁２に接触するようになっている。こうすることで、煙突４は垂直に起こした状態より、内壁２の煙突４側端の方向に倒れなくなる。加えて後述の上蓋７を利用した燃料投入筒６側への倒れ防止構造により、使用時の煙突４は固定される。
【００３５】
図７は煙突４と外壁1および内壁２を回動可能に結合している回転中心の寸法関係を示した断面図であり、この図を基に説明すると、この図では回転中心はピン８中心およびピン穴の中心となっている。回転中心から内壁２の底面までの高さ寸法（距離aとする）が、煙突４を垂直に立てた状態において、煙突４の底辺から煙突４に設けられた回転中心までの距離（距離ｂとする）と同じ（距離a＝距離ｂ）、かつ、煙突４の燃料投入筒６側の壁から煙突４の回転中心までの距離（距離cとする）が同じまたは大きいこと（距離a≦距離ｃ）が望ましい。
また、煙突４の回動可能な構成はこれに限定されず、例えば、煙突４の底辺と内壁２の底面をヒンジなどで固定するなどしてもよい。
【００３６】
また、後述するように調理時に、煙突４上に調理器具１５をセットする使用方法を想定しているが、その際、調理器具１５の重さを、煙突４下端の接触部から内壁２に伝えることができるため、耐久性と安定性が増す。
【００３７】
なお、煙突４の下流側の壁に切欠きがないのであれば、煙突４の横壁と、本体３の内面との間に多少の隙間があっても良い。隙間は小さければ小さいほどよいが、本体内面幅の１割程度の隙間までは問題なく燃焼する。
【００３８】
なお、煙突４の形状は図に描かれたものに限定されるわけではなく、機能を果たすものであれば、どのような形状であってもよい。
【００３９】
図８は本発明の第２の実施形態を表した、部分断面斜視図である。第２の実施形態は、第１実施形態と基本的には同形状を採用しているが、燃料投入筒６の形状を、煙突４側に位置する下端側で、上蓋７より下方の壁の少なくとも一部が切除１６されるように変更している。このようにすると、燃焼ガスが流れやすくなり、本体３内での燃焼をより円滑にすることができる。
なお、燃料投入筒６の形状は図に描かれたものに限定されるわけではなく、機能を果たすものであれば、どのような形状であってもよい。
【００４０】
また、燃料投入筒６の寸法は煙突４を内挿してかつ本体３凹部内に収納できる寸法としている。このようにすることで、煙突４の長さを最大限に確保し、かつ燃料投入筒６の寸法の自由度を確保しながら、収納時のコンパクト性を実現できる。煙突４は長いほど、強力な吸気となるため、良好な燃焼が行える。なお、燃料投入筒６の寸法は煙突４と共に本体３内に収まればよく、煙突４内に収納できる寸法としてもよい。
なお、燃料投入筒６もしくは煙突４に一部突起物があり、完全に煙突４を内挿もしくは煙突４内に収納できずとも、本体３内に収納できればよい。
【００４１】
図９は本発明の第４の実施形態を表した、部分断面斜視図である。第４の実施形態は、第１実施形態と基本的には同形状を採用しているが、内壁２に空気供給用開口１０を、内壁２側面の燃料投入筒６側の端縁部および、燃料投入筒６位置と垂直に立てた際の煙突４位置との中間位置付近にそれぞれ設けた構造となるように変更している。（以下、燃料投入筒６側の端縁部の空気供給用開口を第１の空気供給用開口１０−１、燃料投入筒６位置と垂直に立てた際の煙突４位置との中間位置付近に設けた空気供給用開口を第２の空気供給用開口１０−２と記載する）このようにすることで、第1の空気供給用開口１０−１は一次燃焼用の空気を、第２の空気供給用開口１０−２からは二次燃焼用の空気をそれぞれ供給できるため、より良好な燃焼状態を作り出せる。
【００４２】
図１０は本発明の第５の実施形態を表した、部分断面斜視図である。第５の実施形態は、第１実施形態と基本的には同形状を採用しているが、内壁２側面の燃料投入筒６側に設けられた第１の空気供給用開口１０−１の開口面積の合計が、燃料投入筒６位置と垂直に立てた際の煙突４位置との中間位置付近に設けられた第２の空気供給用開口１０−２の開口面積より大きい構造となるように変更している。このようにすると、燃料投入筒６で行われる多くの燃焼用空気が必要な一次燃焼の方により多くの空気を供給することができるため、より良好な燃焼を実現できる。
図中では、第１の空気供給用開口１０−１および第２の空気供給用開口１０−２はそれぞれ1つの角形状の開口としているが、形状および個数はこれに限定されるものではなく、例えば円形状の開口がそれぞれ複数個開いていてもよい。ただし、その場合は第１の空気供給用開口１０−１の合計の面積は、第２の空気供給用開口１０−２の合計の面積より大きくする必要がある。
【００４３】
図１１は本発明の第６の実施形態を表した、部分断面斜視図である。第６の実施形態は、第１実施形態と基本的には同形状を採用しているが、第２の空気供給用開口１０−２は、垂直乃至４５度の角度を有するスリット状の開口となるように変更している。このようにすると、二次燃焼が起きる場所に全体的に空気を供給できるだけでなく、熱によって内壁２が膨張収縮を起こした際に、変形を吸収し、燃焼器全体の変形を軽減することができる。
【００４４】
なお、熱変形の軽減策としては、この他に燃焼によって加熱されやすい、内壁２、煙突４、端壁５、燃料投入筒６、上蓋７に多数の凸形状を整形してリブとしても良い。
【００４５】
また、本体３内に断熱材１８を設置してもよく、例えば、図１２に示すように断熱材１８を外壁１と内壁２の間の側面および底面に設置し、断熱材１８と内壁２の間に空気の通り道を確保するように、断熱材１８は外壁１に接するように配置してもよい。
このようにすることで、断熱材１８と内壁２の間を通る空気は内壁２を介して熱を吸収するほか、外壁1までの熱伝導率を抑えることにより、外部に放出される熱を減らし、燃焼に供給する空気の温度をさらに高めることができるため、前述の理由によりさらに良好な燃焼を実現することに加え、外部に対する安全性を向上できる。
【００４６】
断熱材１８の固定方法としては、内壁２と断熱材18の間に金属製クリップのような弾性体を挟む、内壁２に突起もしくはボルト等の締結材を設け、外壁１と共に断熱材を挟み込む、外壁１に突起を設けたり、ボルト等の締結材を用いて断熱材１８を外壁1に取り付ける方法などが考えられるが、ここでは限定しない。
【００４７】
図１３は断熱材１８を内壁２の内面側に設置してもよい。このようにすることで、内壁２までの熱伝導率を抑えることができ、内壁２と上蓋７で囲まれた空間で行われる燃焼の温度が落ちにくいため、より燃焼効率が高くなるほか、内壁２に熱が伝わりにくいため、耐久性が向上する。
【００４８】
断熱材１８の固定方法としては、内壁２に突起を設け断熱材１８を引掛けたり、ボルト等を使用して内壁２と締結する方法などが考えられるが、ここでは限定しない。
【００４９】
図１４に示すように燃料投入筒６の上端に開閉可能に構成された燃料投入筒用蓋１８を設置してもよい。このようにすることで、燃焼時の燃料投入筒６の上端開口からの煙の排出を抑え、周囲の環境をよりよくできるだけでなく、排出されていた煙を本体内に取り込み燃焼させることで、火力が向上する。なお、燃料投入筒用蓋１８を閉じた際の燃焼用空気の供給は主に内壁２に設けた空気供給用開口１０から行うこととなる。
なお、燃料投入筒用蓋１８は完全に密閉する必要はなく、空気を取り入れる穴が開いていても良い。穴を設けるばあい、形状、面積は限定しないが燃料投入筒用蓋１８の面積に対して１/３までが好ましい。この程度の面積だと燃焼時は穴から外気を吸い込んでいるため、煙が逆流することはない。
【００５０】
本発明の第７の実施形態は本体３の下面に支持脚１９を設けた構造に変更している。
本携帯型固形燃料燃焼器は煙突４上に調理器具１５など重量物を置くことを想定しているため、本体３の下面に支持脚１９を設け、安定性を増すことが望ましい。
【００５１】
なお、支持脚１９は、本発明の燃焼器の形状から、左右方向および煙突側に転倒しやすいため、その方向に伸ばすことが望ましい。また、燃焼時は本体３表面の温度が上がるため、周囲の可燃物に引火しないように、外壁1底部を地面から持ち上げるように構成することが望ましい。
支持脚１９の形状や構造については特に問わないが、収納性を考慮し折り畳み構造であることと、上蓋７や煙突４の上部に調理器具１５を設置した際の重量に十分耐えうる強度を持っていることが望ましい。
【実施例】
【００５２】
図１５〜１８を用いて、上記構成の携帯型固形燃料燃焼器の組み立て方を説明する。
図１５は収納状態の燃焼器である。
組立て方法としては、収納状態の本体３から上蓋を外し、煙突４と、煙突４を内挿している燃料投入筒６を垂直状態になるまで引き起こす。（図１６）
煙突４を垂直状態とした後、上蓋７を本体３の外壁１と内壁２の隙間１３に差し込み、煙突４に接する位置まで挿入する。次に燃料投入筒６を煙突４から取り外す。（図１７）
煙突４から取り外した燃料投入筒６を、本体３の燃料投入筒６側の端壁５と上蓋７との隙間に差し込む。（図１８）
【００５３】
燃料投入筒６の寸法を、端壁５と上蓋７からなる隙間に合わせることにより、燃料投入筒６挿入後は上蓋７の移動がなくなり、これにより煙突４が固定される。上蓋７の固定が燃料投入筒６のみでは不十分な場合はピンやねじを使用して固定してもよい
【００５４】
。
図１９を用いて、上記構成の携帯型固形燃料燃焼器の着火方法を説明する。
本体３の一端に取り付けられた燃料投入筒６に固形燃料２０を投入し、燃料投入筒６側の端壁５を上にスライドさせ、端壁５の下部にできた本体３との隙間から着火する。ここでは燃料投入筒６の端壁５側にも切欠きを設けており、端壁５をスライドさせ本体３との隙間を作ることで固形燃料２０にアクセスができるようにしている。
着火が完了した後は、端壁５を下にスライドさせ、隙間を閉じる。
【００５５】
固形燃料２０に着火されると、まず燃料投入筒６に収納された固形燃料２０が燃焼する（一次燃焼）。次に燃焼の熱によって固形燃料２０から発生した可燃性気体および煙が固形燃料２０より下流の本体３内で燃焼される所謂二次燃焼となり、熱気が煙突４により排気される。固形燃料２０の燃焼が進むと、上昇気流の力が強くなり煙突４の排気力が高まる。この時吸気は主に燃料投入筒６の上方の開口部から行われる。これにより、固形燃料２０が燃焼するときの炎は常に下方に流れ、本体３内に流入する。固形燃料２０の燃焼は風上側へ徐々に進行し、燃え尽きた固形燃料２０は灰となり、新しい固形燃料２０が上から降下し燃焼を続ける。そのため、燃焼が一気に進むことがなく、一定の火力を長時間にわたり継続することができる。また、煙突４からの排気により、外壁１の煙突４側の端部に設けた吸気用開口９から外気を取り込み、内壁２に設けた空気供給用開口１０からも本体３内に空気が供給される。このように外壁１と内壁２の間に空気が流れることで外壁１に熱が伝わりにくくなるほか、外壁１と内壁２の間を通過中に暖められた空気を燃焼に使用できるため燃焼効率が良くなる。
【００５６】
燃焼中は直立状態となった煙突４上に、五徳と鍋などの調理器具１５を置くことにより、調理が可能となる。また、本体３と上蓋７の中を炎が通り、上蓋７は加熱されるため、上蓋７の上でも調理が可能となる。なお、この際、五徳などにより、煙突４上端と鍋などの底に開口部が構成されていることや、煙突４の上端にガス抜き用の穴を設けるなど、燃焼ガスが抜ける構造とすることが望ましい。
【符号の説明】
【００５７】
1    外壁
2    内壁
3    本体
4    煙突
5    端壁
6    燃料投入筒
7    上蓋
8    ピン
9     吸気用開口
10    空気供給用開口
10-1    第1の空気供給用開口（燃料投入筒側）
10-2    第2の空気供給用開口（中央付近）
11    外壁上辺折り曲げ部
12    内壁上辺折り曲げ部
13    隙間
14    煙突切除部分
15    調理器具
16    燃料投入筒切除部分
17    断熱材
18    燃料投入筒用蓋
19    支持脚
20    固形燃料
【図１】
2015135204.tif 000003
【図２】
2015135204.tif 000004
【図３】
2015135204.tif 000005
【図４】
2015135204.tif 000006
【図５】
2015135204.tif 000007
【図６】
2015135204.tif 000008
【図７】
2015135204.tif 000009
【図８】
2015135204.tif 000010
【図９】
2015135204.tif 000011
【図１０】
2015135204.tif 000012
【図１１】
2015135204.tif 000013
【図１２】
2015135204.tif 000014
【図１３】
2015135204.tif 000015
【図１４】
2015135204.tif 000016
【図１５】
2015135204.tif 000017
【図１６】
2015135204.tif 000018
【図１７】
2015135204.tif 000019
【図１８】
2015135204.tif 000020
【図１９】
2015135204.tif 000021